(57)【特許請求の範囲】
【請求項１】
心臓弁の大きさに応じた弁尖のサイズを決定するための弁尖サイザーであって，
生体に当接される円弧面状の正面（１０）と，
前記正面（１０）の反対面側に位置する背面（２０）と，
前記背面（２０）から突出した手術器具によって挟み持つことのできる摘み部（３０）と，を有し，
前記正面（１０）は，左右の両端の間の中央部分が前記生体側に向かって張り出す円弧面状に形成されている
弁尖サイザー。
【請求項２】
前記正面（１０）は，前記左右の両端に，前記弁尖の左右の交連部に当てられる左右の触針部（１１，１２）を有する
請求項１に記載の弁尖サイザー。
【請求項３】
前記背面（２０）は，前記正面（１０）と同じ方向に向かって張り出す円弧面状に形成されている
請求項１又は請求項２に記載の弁尖サイザー。
【請求項４】
前記摘み部（３０）は，前記背面（２０）の左右の後端（２１，２２）よりも突出しない長さに形成されている
請求項３に記載の弁尖サイザー。
【請求項５】
前記摘み部（３０）の少なくとも左右の側面（３１，３２）は，滑り止め防止部材（７１）によって形成されているか，又は滑り止め防止加工（７２）が施されている
請求項１から請求項４のいずれかに記載の弁尖サイザー。
【請求項６】
前記摘み部（３０）は，少なくとも一部分が，上方に向かって傾斜している
請求項１から請求項５のいずれかに記載の弁尖サイザー。
【請求項７】
前記触針部（１１，１２）よりも上方に向かって高く延出し，人手によって把持されるハンドルを備えていない
請求項２に記載の弁尖サイザー。
【発明の詳細な説明】
【技術分野】
【０００１】
本発明は，心臓弁を構成する弁尖のサイズを測定するための弁尖サイザーに関する。弁尖サイザーは，例えば，大動脈弁形成術や大動脈弁再建術を行うにあたり，人工膜又は生体膜から心臓弁の弁尖素材を形成する際に用いられる。
【背景技術】
【０００２】
心臓は，大動脈を介して血液を全身に送給するポンプの役目を果たしている。ここで，例えば，心臓の左心室から大動脈へ血液が流出する出口に形成された心臓弁（大動脈弁）は，薄い膜でできた椀型の３枚の弁尖によって構成されている。血流の流体圧が低い状態においては，各弁尖の内膜同士が合わさって心臓弁が閉じられ，血流が遮断される。他方，血流の流体圧が高まると，各弁尖の内膜同士が離れて心臓弁が開かれ，血流が心臓から大動脈へと流れこむ。また，各弁尖は，それぞれの左右両端に相当する交連部において，大動脈の内壁と一体となっている。
【０００３】
ところで，年齢とともに動脈硬化などが進むと，弁尖にカルシウムが付着して，弁尖が石灰化して硬化するとうい現象が起こる。これにより，弁尖の動きが制限されて十分に開かず，大動脈弁狭窄症という疾患をひき起こす。その結果，左心室の壁が分厚くなって肥大化し，心臓筋肉の壁が分厚くなりすぎると，冠動脈によって供給される血流では栄養や酸素が不足するため，心臓は心筋虚血（栄養・酸素不足の状態）となる。特に，運動時など，酸素需要が高まったときに心筋虚血をきたすと，胸痛や失神といった症状を引き起こされるおそれがある。
【０００４】
ここで，このような疾患の治療法として，本発明者は，鋭意研究の結果，従来の弁置換術に代えて，大動脈弁成形術を確立した。大動脈弁形成術は，カルシウムの付着によって硬化した弁尖のうち，石灰を除去することによって弁尖として使用できるものはなるべく残しておきつつ，使用できなくなった弁尖のみを切除して，切除した弁尖を自己の生体膜などから形成した大動脈弁に置き換えて修復するという術法である。このように，自己の心膜などから弁尖を形成し，新たな大動脈弁として用いることにより，拒絶反応を起こしたり，血液凝固反応（血栓）を起こしたりする問題を回避することができ，さらには高価な人工弁を購入する必要がなくなる。ただし，大動脈弁成形術では，患者の大動脈の太さに適合した弁尖を平らな心膜から切り出す必要があるが，どのようにして，患者の大動脈の太さに適合する弁尖のサイズを決定するのかが問題となっていた。
【０００５】
そこで，本発明の発明者は，患者の弁尖のサイズを正しく測定して，大動脈の太さに適合した弁尖を形成するための弁尖形成器を開発した（特許文献１）。この特許文献１には，大動脈弁成形術に用いられる弁尖形成器が開示されている。この弁尖形成器は，複数の弁尖サイザーとテンプレートを有する。このうち，弁尖サイザーの例は，特許文献１の図２に示されている。また，実際の弁尖サイザーの写真を，本願の図７に示している。図７などに示されるように，従来の弁尖サイザーは，サイザーブロックと，このサイザーブロックに取り付けられたハンドルとを有している。サイザーブロックには，弁尖の交連部の中心角に応じた角度で円柱を切断した形状の円弧面が形成されている。また，サイザーブロックには，円弧面の両端部を，弁尖の交連部に位置決めする触針部が設けられている。また，特許文献１に開示される弁尖形成器は，その図１に示されるように，複数種類のサイズのサイザーブロックが，それぞれ人手によって把持されるハンドルと接続された構成となっている。
【０００６】
また，大動脈弁形成術は，尾崎重之「自己心膜を使用した大動脈弁形成術」人工臓器３９巻３号２０１０年１５７頁〜１６１頁（下記非特許文献１）において紹介されている。この非特許文献１においても，上記のとおり，サイザーブロックとハンドルとを有する弁尖サイザーが用いられている（非特許文献１の図２参照）。
【先行技術文献】
【特許文献】
【０００７】
【特許文献１】特許第５１０６０１９号公報
【非特許文献】
【０００８】
【非特許文献１】尾崎重之「自己心膜を使用した大動脈弁形成術」人工臓器３９巻３号２０１０年１５７頁〜１６１頁
【発明の概要】
【発明が解決しようとする課題】
【０００９】
しかしながら，従来の弁尖サイザーは，サイザーブロックのそれぞれにハンドルが取り付けられたものであるため，全体のサイズが大きく，取り扱いにくいという問題があった。つまり，従来の弁尖サイザーは，本願の図７に示されるように，長く延出したハンドルが必要であり，また，サイザーヘッドにこのハンドルを取り付けるための部位を確保しておく必要がある。このため，従来の弁尖サイザーは，サイザーヘッドを狭い大動脈の基部に挿入しにくく，また，血管壁にサイザーヘッドが接触して傷つかないように配慮する必要があった。
【００１０】
さらに，従来の弁尖サイザーは，サイザーブロックのそれぞれにハンドルが取り付けられたものであるため，例えば特許文献１の図１に示されるように，複数種類の弁尖サイザーを収納する収納容器の容積が大きくなるという問題がある。収納容器が大きくなると，術者の手元に置いたままにしておくことができない。このため，複数種類の弁尖サイザーを，手術野から離れた場所に置いておき，弁尖サイザーのサイズを変える度に，術者と介助者の間で弁尖サイザーの受け渡しを行う必要がある。このような受け渡し作業は，手術時間のロスに繋がるおそれがあった。
【００１１】
従って，現在では，小型で取り扱い易い弁尖サイザーが求められている。
【課題を解決するための手段】
【００１２】
そこで，本発明の発明者は，上記の従来発明の問題点を解決する手段について鋭意検討した結果，従来の弁尖サイザーからハンドルとこのハンドルの取付部位をなくし，その代わりに，鉗子やピンセットなどで把持することのできる摘み部を形成することで，弁尖サイザーの必要な機能を残しつつ，そのサイズを劇的に小型化することができるという知見を得た。そして，本発明者は，このような知見に基づけば，従来技術の課題を解決できることに想到し，本発明を完成させた。具体的に説明すると，本発明は以下の構成を有する。
【００１３】
本発明は，弁尖サイザーに関する。弁尖サイザーは，心臓弁の大きさに応じた弁尖のサイズを決定（測定）する用途で用いられる外科手術器具である。
本発明の弁尖サイザーは，生体に当接される円弧面状の正面１０と，この正面１０の反対面側に位置する背面２０と，この背面２０から突出した摘み部３０と，を有する。
【００１４】
上記構成のように，弁尖サイザーの背面２０に摘み部３０を設けることで，この摘み部３０を鉗子やピンセットによって把持することができる。このため，弁尖サイザーに，人手によって把持されるハンドルを設ける必要がなくなる。このハンドルは，従来の弁尖サイザーにとって，その構造の大部分を占めていた部材である。従って，ハンドルが省略可能となったことにより，本発明の弁尖サイザーは，劇的に小型化されたものとなる。このように小型化された弁尖サイザーは，狭い大動脈の基部であっても，容易に挿入することができる。また，弁尖サイザーが大動脈の血管壁に接触して，生体を傷つけてしまうリスクを低減させることができる。さらに，弁尖サイザーを小型化することで，サイズの異なる複数種類（例えば９種類）の弁尖サイザーを揃えても，複数種類の弁尖サイザーのセットを小型の収納容器に収納することができる。これにより，大動脈弁形成術などの手術を行う際に，弁尖サイザーのセットを術者の手元付近に置いておくことが可能となるため，手術時間を短縮することができる。
【００１５】
本発明の弁尖サイザーは，正面１０に，弁尖の左右の交連部に当てられる左右の触針部１１，１２を有することが好ましい。
【００１６】
上記構成のように，正面１０に触針部１１，１２を設けることで，患者の弁尖のサイズをより適切に決定（測定）することが可能となる。
【００１７】
本発明の弁尖サイザーは，背面２０は，正面１０と同じ方向に向かって張り出す形状（例えば円弧面状）に形成されていることが好ましい。
【００１８】
上記構成のように，背面２０を正面１０と同じ方向に向かって張り出す形状とすることで，弁尖サイザーをさらに小型化することができる。すなわち，従来の弁尖サイザー（図７参照）は，背面２０にハンドルの取付部位を設ける必要があるため，この背面２０が，正面１０と反対方向に向かって張り出すものとなっていた。しかし，このような形状では，弁尖サイザーのヘッド部分が大きくなり，狭い大動脈に挿入しづらくなる。そこで，本発明の弁尖サイザーでは，ハンドルの取付部位を削り取って，背面２０を，正面１０と同じ方向に張り出す形状（例えば円弧面状）としている。これにより，弁尖サイザーを狭い生体部位に挿入しやすくなる。
【００１９】
本発明の弁尖サイザーは，摘み部３０が，背面２０の左右の後端２１，２２よりも突出しない長さに形成されていることが好ましい。
【００２０】
上記構成のように，摘み部３０の長さを一定以下に規定することで，弁尖サイザーを適切な大きさに調整できる。つまり，摘み部３０の長さを，背面２０の後端２１，２２から突出しないように調整することで，弁尖サイザーを大動脈に差し込む際に，この摘み部３０が血管壁に接触して障害となることを防止できる。
【００２１】
本発明の弁尖サイザーにおいて，摘み部３０の少なくとも左右の側面３１，３２は，滑り止め防止部材７１によって形成されているか，又は滑り止め防止加工７２が施されていることが好ましい。
【００２２】
上記構成のように，摘み部３０に滑り止め防止のための工夫を施すことで，鉗子やピンセットによって把持しやすくなる。
【００２３】
本発明の弁尖サイザーにおいて，摘み部３０は，少なくとも一部分が，上方に向かって傾斜していることが好ましい。なお，摘み部３０が傾斜している場合には，摘み部３０が，弁尖サイザーが置かれた設置面に対して垂直に起立している場合も含まれる。
【００２４】
本発明の弁尖サイザーは，術者により，鉗子などを介して，上側から把持されることを想定した構造となっている。このため，上記構成のように，摘み部３０の一部分が上方に向かって傾斜ものであると，術者が摘み部３０を把持しやすくなる。
【００２５】
本発明に係る弁尖サイザーは，触針部１１，１２よりも上方に向かって高く延出し，人手によって把持されるハンドル（図７参照）を備えていないことが好ましい。
【発明の効果】
【００２６】
本発明によれば，小型で取り扱い易い弁尖サイザーを提供することができる。
【図面の簡単な説明】
【００２７】
【図１】図１は，弁尖サイザーの例を示した斜視図である。
【図２】図２は，弁尖サイザーの例を示した正面図である。
【図３】図３は，弁尖サイザーを模式的に示した平面図である。
【図４】図４は，図２に示したＡ−Ａ線における断面図である。
【図５】図５は，弁尖サイザーの他の例を示した斜視図である。
【図６】図６は，弁尖サイザーの他の例を示した断面図である。
【図７】図７は，従来の弁尖サイザーを示した写真である。
【発明を実施するための形態】
【００２８】
以下，図面を用いて本発明を実施するための形態について説明する。本発明は，以下に説明する形態に限定されるものではなく，以下の形態から当業者が自明な範囲で適宜修正したものも含む。
なお，本願明細書において，「Ａ〜Ｂ」とは，「Ａ以上Ｂ以下」であることを意味する。
【００２９】
図１は，本発明に係る弁尖サイザー１００の一例を示している。図１では，弁尖サイザー１００が，ピンセットや鉗子などの器具によって把持されている様子を模式的に示している。弁尖サイザー１００は，大動脈弁形成術などにおいて用いられる外科手術器具である。大動脈弁形成術で弁尖サイザーを使用する方法については，特許文献１や非特許文献１において詳しく説明されている。このため，本願明細書において大動脈弁形成術の説明は割愛する。特許文献１の内容は，本願明細書に組み込まれるものである。
【００３０】
図１に示されるように，弁尖サイザー１００は，患者の生体（具体的には大動脈の血管内壁）に当接される正面１０を有している。この正面１０は，患者の生体側に向かって中央部分が張り出すような円弧面状に形成されている。また，正面１０の左端には左触針部１１が形成され，正面１０の右端には左触針部１２が形成されている。左右の触針部１１，１２は，弁尖の左右両端に位置する交連部に当てがわれる部位である。
【００３１】
具体的に説明すると，例えば３つの弁尖から構成される大動脈弁から一つの弁尖を切除した後，大動脈に弁尖サイザー１００を挿入し，その切除された弁尖の両隣りに位置する残された弁尖の交連部に，弁尖サイザー１００の左右の触針部１１，１２を当てがう。また，左右の触針部１１，１２の間に位置する正面１０は，様々なサイズのものが用意されている。つまり，手術の際に用意される複数種類の弁尖サイザーは，それぞれ，左右の触針部１１，１２の間に位置する正面１０のサイズが異なっている。図１に示した例では，左右の触針部１１，１２の間の円弧の長さが約３５ｍｍ（±２ｍｍ程度であれば許容範囲）となっている。このため，弁尖サイザー１００には，“３５”という表示が記されている。なお，正面１０を形成する円弧の全体長さは，左右の触針部１１，１２の間の円弧の長さよりも少し大きくなってもよい。また，図示は省略するが，左右の触針部１１，１２の間のサイズ（円弧の長さ）は，例えば１５〜３５ｍｍ程度の範囲で複数種類用意される。このため，弁尖サイザー１００の左右の触針部１１，１２を弁尖の交連部に当てつつ，弁尖サイザー１００の種類を変えながら，適切な大きさの弁尖サイザー１００を選択することで，患者の弁尖のサイズを測定（決定）することができる。
【００３２】
図２には，弁尖サイザー１００の正面図が示されている。図２に示されるように，弁尖サイザー１００の正面１０は，触針部１１，１２が形成されている左右両端の高さＨ１が，左右方向の中心部分の高さＨ２よりも高くなっている。これにより，触針部１１，１２の上端を，交連部に当接させて，弁尖のサイズを測定しやすくなる。
【００３３】
また，図１に示されるように，正面１０と反対面側には，背面２０が存在する。そして，本発明の弁尖サイザー１００は，この背面２０から突出するように，摘み部３０が設けられている。すなわち，摘み部３０は，正面１０が存在する方向とは反対の方向に向かって，背面２０から突出している。図１に示されるように，摘み部３０は，背面２０の左右方向の中心線上に位置していることが好ましい。
【００３４】
摘み部３０は，術者によって，鉗子やピンセットなどの手術器具を介して把持される部位である。このため，摘み部３０は，手術器具によって把持可能な幅（厚み），高さ，及び長さを有していればよい。摘み部３０の形状は，特に限定されないが，基本的には，図１に示されるように直方体状であることが好ましい。また，図示は省略するが，摘み部３０は，その他の形状としてもよい。
【００３５】
図１に示した弁尖サイザー１００の例では，正面１０と背面２０の間にある程度の厚みが存在している。このため，弁尖サイザー１００には，正面１０と背面２０との間を繋ぐように，上面４０，下面５０，及び側面６０が存在する。ただし，本発明の弁尖サイザー１００は，正面１０と背面２０の間が非常に薄く，図示したような上面４０，下面５０，及び側面６０を観念できないような構造であってもよい。
【００３６】
ここで，図１に示されるように，弁尖サイザー１００の背面２０は，正面１０と同じ方向に張り出す形状となっている。つまり，背面２０は，正面１０側に向かって窪んだ形状となっている。例えば，背面２０は，正面１０と同様に，円弧面状であることが好ましい。また，背面２０と正面１０は，互いに平行な面であってもよい。ただし，背面２０は，円弧面状に限られず，多角形状の面であってもよい。また，背面２０と正面１０は平行な面でなくても特に問題はない。
【００３７】
図３は，弁尖サイザー１００を上面４０側から見た平面図を模式的に示している。また，図３は，弁尖サイザー１００を設計するための補助線が，点線によって示されている。図３に示されるように，弁尖サイザー１００は，大動脈弁の交連部の中心角に応じた角度で切断した扇型（部分円柱）を基本形状としている。図に示した例では，大動脈弁が３つの弁尖によって構成されており，大動脈弁の３つの交連部の中心角が１２０度の等角となっていることを想定している。図３に示されるように，弁尖サイザー１００の正面１０は，円弧状となっている。そして，弁尖サイザー１００の正面１０に設けられた左右の触針部１１，１２の間の円弧の長さが，交連部の中心角に応じた長さとなる。すなわち，図３に示した例では，左右の触針部１１，１２の間の円弧は，１２０度の中心角に対応した長さとなる。
【００３８】
なお，図示は省略するが，大動脈弁が２の弁尖によって構成されている場合もある。この場合，大動脈弁の交連部は２つとなる。この場合を想定すると，正面１０の円弧は，１８０度の中心角に対応した形状とすることもできる。
【００３９】
また，図３に示されるように，弁尖サイザー１００の上面４０には，中央指標１３と，左方指標１４と，右方指標１５が形成されていることが好ましい。中央指標１３は，左右方向の中心に形成される。また，左方指標１４と右方指標１５は，それぞれ，左触針部１１と右触針部１２の上面４０側に形成される。図３に示した例において，中央指標１３と左方指標１４は６０度間隔で設けられ，同様に，中央指標１３と右方指標１５は６０度間隔で設けられている。各指標１３，１４，１５は，弁尖サイザー１００を利用して切除された弁尖のサイズを測定する際に，術者によって目視される指標となる。各指標１３，１４，１５が存在することにより，術者は，弁尖サイザー１００の正面１０と左右の触針部１１，１２の位置決めを行いやすくなる。
【００４０】
また，図３において，円弧面状に形成された背面２０の左右の後端が，符号２１，２２で示されている。この場合に，背面２０から突出する摘み部３０は，背面２０の左後端２１及び右後端２２から突出しない長さで形成されていることが好ましい。図３では，背面２０の左後端２１と右後端２２を仮想的な直線で繋いでいる。この場合に，摘み部３０は，この左後端２１と右後端２２を繋ぐ仮想的な直線を超えない長さとなっている。このようにすることで，摘み部３０が背面２０によって形成された窪みの内部に収まるようになる。これにより，弁尖サイザー１００を大動脈内に挿入する際に，摘み部３０が障害になることを防止できる。なお，摘み部３０の長さＬは，背面２０の左右の後端２１，２２から突出しないという条件を満たしつつ，少なくとも５ｍｍ以上又は１０ｍｍ以上の長さを有するものであることが好ましい。摘み部３０の長さＬが短すぎると，鉗子やピンセットによって摘み部３０を把持しにくくなるが，摘み部３０の長さＬが５ｍｍ以上とすることで，鉗子などによって適切に摘み部３０を把持できるようになる。
【００４１】
また，図３において，摘み部３０の幅が，符号Ｗで示されている。摘み部３０の幅Ｗは，鉗子やピンセットで挟みやすい幅とすればよい。例えば，摘み部３０の幅Ｗは，３ｍｍ〜２０ｍｍ，４ｍｍ〜１５ｍｍ，又は５ｍｍ〜１０ｍｍとすればよい。
【００４２】
図４は，図３に示したＡ−Ａ線における断面の概要を示している。つまり，図４は，摘み部３０が形成された箇所における弁尖サイザー１００の断面図である。図４に示されるように，正面１０の中心部分の高さＨ２と，背面２０の高さＨ３を比較すると，背面２０の高さＨ３の方が低くなっている（Ｈ３＜Ｈ２）。例えば，背面２０の高さＨ３は，正面１０の中心部分の高さＨ２に対して，２０％〜８０％，又は３０％〜５０％程度であることが好ましい。また，図３に示されるように，正面１０と背面２０は，互いに平行な面となるように起立していることが好ましい。
【００４３】
上記のように，背面２０の高さＨ３が正面１０の高さＨ２よりも低くなっているため，この正面１０と背面２０を繋ぐ上面４０は，傾斜している。図４に示されるように，上面４０は，断面が曲線となる緩やかな曲面で形成されていることが好ましい。ただし，上面４０を，断面が直線となる平坦面とすることもできる。他方，正面１０と背面２０を繋ぐ下面５０は，断面直線状の平坦面で形成されている。このように，下面５０を平坦面としておけば，弁尖サイザー１００を自立させやすくなる。
【００４４】
また，図４に示された例において，背面２０の高さＨ３と摘み部３０の高さＨ４が一致している（Ｈ３＝Ｈ４）。ただし，摘み部３０の高さＨ４は，背面２０の高さＨ３よりも低いものであってもよいし，高いものであってもよい。摘み部３０の摘みやすさを考慮すると，摘み部３０の高さＨ４は，背面２０の高さＨ３よりも高くすることが好ましい（Ｈ４＞Ｈ３）。
【００４５】
続いて，図５及び図６を参照して，弁尖サイザー１００の改良例について説明する。
【００４６】
図５は，弁尖サイザー１００の摘み部３０に，滑り止めの改良を施した例を示している。図５（ａ）に示した例において，摘み部３０に，滑り止め防止部材７１が取り付けられている。例えば，滑り止め防止部材７１は，シリコーンゴムなどの摩擦係数の高い素材で形成されていることが好ましい。すなわち，滑り止め防止部材７１を形成する素材は，弁済サイザー１００の本体部分を形成する素材よりも，高い摩擦係数を持つ素材であることが好ましい。滑り止め防止材料としては，適宜公知のものを採用することができる。図５（ａ）に示した例においては，滑り止め防止部材７１は，一部が開口となったキャップ状となっており，摘み部３０全体を覆っている。ただし，摘み部３０は，その左右の側面３１，３２を挟むようにして摘み持たれるものであるため，滑り止め防止部材７１は，少なくとも左右の側面３１，３２に位置していればよい。例えば，滑り止め防止部材７１を，左右の側面３１，３２にのみ取り付けることもできる。また，滑り止め防止部材７１を，摘み部３０と一体成型することも可能である。
【００４７】
図５（ｂ）に示した例において，摘み部３０の左右の側面３１，３２に，滑り止め防止加工７２が施されている。滑り止め防止加工７２の例としては，摘み部３０の側面３１，３２を粗面として摩擦係数を高めたり，摘み部３０の側面３１，３２に刻み目（凹凸）を形成して鉗子やピンセットの先端が嵌りやすくすることが考えられる。
【００４８】
図５（ａ）及び図５（ｂ）に示されるように，滑り止め防止加工７２を設けて，鉗子やピンセットで摘み部３０を挟んだときに滑りにくくすることで，本発明に係る弁尖サイザー１００を利用した手術の安全性を高めることができる。
【００４９】
図６は，弁尖サイザー１００の摘み部３０を把持しやすくするための改良を施した例を示している。図６（ａ）に示した例において，摘み部３０は，上方に向かって立ち上がるように，背面２０に対して所定角度θで傾斜している（設置面に対して垂直に起立する場合を含む）。例えば，角度θは，０度〜８０度，２０度〜６０度，３０度〜４５度とすることができる。また，図６（ａ）に示した例では，弁尖サイザー１００が平坦面に置かれている状態において，摘み部３０が，この平坦面から浮き上がった状態となる構造となっている。このように，摘み部３０を傾斜させることで，鉗子やピンセットを利用して，弁尖サイザー１００を上側から把持しやすくなる。
【００５０】
図６（ｂ）は，摘み部３０が，非傾斜部分３５と傾斜部分３６とから構成されている例を示している。非傾斜部分３５は，背面２０から延出した部位であり，傾斜部分３６は，この非傾斜部分３５から延出した部位である。まず，摘み部３０の非傾斜部分３５は，背面２０に対して直角となるように延出している。また，摘み部３０の傾斜部分３６は，上方に向かって立ち上がるように，背面２０に対して所定角度θで傾斜している（設置面に対して垂直に起立する場合を含む）。例えば，傾斜部分３６の角度θは，０度〜８０度，２０度〜６０度，３０度〜４５度とすることができる。このように，摘み部３０の一部を非傾斜部分３５とすることで，弁尖サイザー１００をより安定的に自立させることができる。また，摘み部３０の一部を傾斜部分３６とすることで，鉗子やピンセットを利用して，弁尖サイザー１００を上側から把持しやすくなる。
【００５１】
図６（ｃ）は，摘み部３０の上面３３を傾斜させた例を示している。図６（ｃ）の例では，摘み部３０の後端における高さＨ４が，背面２０の高さＨ３よりも高くなるように，摘み部３０の上面３３が傾斜面となっている。例えば，摘み部３０の高さＨ４（最大高さ）は，背面２０の高さＨ３に対して，１１０％〜２００％とすればよい。また，背面２０に対する摘み部３０の上面３３の傾斜角度θは，０度〜８０度，２０度〜６０度，３０度〜４５度とすることができる。他方，摘み部３０の下面３４は，背面２０に対して直角に延出している。従って，弁尖サイザー１００が平坦面に置かれている状態において，摘み部３０が，この平坦面から離れない構造となっている。このようにすることで，弁尖サイザー１００の摘みやすさを向上させつつ，弁尖サイザー１００の自立の安定性を確保することができる。
【００５２】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００５３】
本発明は，心臓弁を構成する弁尖のサイズを測定するための弁尖サイザーに関する。本発明は，医療機器の分野において好適に利用することができる。
【符号の説明】
【００５４】
１０…正面              １１…左触針部            １２…右触針部
１３…中央指標          １４…左方指標            １５…右方指標
２０…背面              ２１…左後端              ２２…右後端
３０…摘み部            ３１…左側面              ３２…右側面
３３…上面              ３４…下面                ３５…非傾斜部分
３６…傾斜部分          ４０…上面                ５０…下面
６０…側面              ７１…滑り止め防止部材    ７２…滑り止め防止加工
１００…弁尖サイザー
【要約】      （修正有）【課題】小型で取り扱い易い弁尖サイザーを提供する。【解決手段】心臓弁の大きさに応じた弁尖のサイズを決定するための弁尖サイザー１００に関する。本発明に係る弁尖サイザー１００は，生体に当接される円弧面状の正面１０と，前記正面１０の反対面側に位置する背面２０と，前記背面２０から突出した摘み部３０と，を有する。このように，従来の弁尖サイザーからハンドルとこのハンドルの取付部位をなくし，その代わりに，鉗子やピンセットなどで把持することのできる摘み部３０を形成することで，弁尖サイザーの必要な機能を残しつつ，そのサイズを劇的に小型化することができる。【選択図】図１【図１】
0005738461.tif 000002
【図２】
0005738461.tif 000003
【図３】
0005738461.tif 000004
【図４】
0005738461.tif 000005
【図５】
0005738461.tif 000006
【図６】
0005738461.tif 000007
【図７】
0005738461.tif 000008